(57)【要約】【課題】従来メッセンジャーワイヤを予め架設し、これに光ケーブルをケーブルハンガーを用いて支持させる従来の方法は、極めて面倒であり、低コストで済む手段について鋭意検討したが、従来メッセンジャーワイヤを予め架設するときの作業上の問題点を解決し、しかも、従来メッセンジャーワイヤとケーブルとは共通のプラスチック被覆でなければ、ならないという既成概念の束縛から解放された、新しいメッセンジャーワイヤ付き光ケーブルを生み出した。【解決手段】  メッセンジャーワイヤを構成する高抗張力線と、光ファイバを収納した鋼パイプとが同径であって、少なくとも光ファイバを収納した鋼パイプの１条ないし３条を隣接することなく周囲の撚り構成中に存在させたことを特徴とする配電柱間架設用ケーブル及び上記配電柱間架設用ケーブルを配電電柱間に架設し、該ケーブルの高張力線を纏めて引留め金具で引き留めるようにした引留め方法。【選択図】図１
2008249917.tif 000002
【特許請求の範囲】
【請求項１】
メッセンジャーワイヤを構成する高抗張力線と、光ファイバを収納した鋼パイプとが同
径であって、少なくとも光ファイバを収納した鋼パイプの１条ないし３条を隣接することなく周囲の撚り構成中に存在させたことを特徴とする配電柱間架設用ケーブル。
【請求項２】
中心を高抗張力線とし、その周囲に高抗張力線と光ファイバを収納した鋼パイプとを交互に配列して撚り合わせてなることを特徴とする請求項１に記載の配電柱間架設用ケーブル。
【請求項３】
光ファイバを収納した鋼パイプとしてステンレス鋼パイプを用いたことを特徴とする請求項１もしくは２に記載の電柱間架設用ケーブル。
【請求項４】
請求項１乃至３いずれかに記載の配電柱間架設用ケーブルを配電電柱間に架設し、該ケーブに於ける高張力線を纏めて引留め金具で引き留めるようにしたことを特徴とする電柱間架設用ケーブルの引留め方法。
【発明の詳細な説明】
【技術分野】
【０００１】
本発明は、配電柱間に配線される光ファイバケーブル入りのメッセンジャーワイヤで、ハンガー不要なケーブル及びケーブルの引留め方法に関するものである。
【背景技術】
【０００２】
配電柱間にケーブルを架設するには、従来から予め配電柱間に架設したメッセンジャーワイヤに沿わせてケーブルを掛け渡し、ハンガーと呼ばれる吊具を用いてメッセンジャーワイヤにケーブルをハンガーで吊り下げるか、予め配電柱間に架設したメッセンジャーワイヤに一方向の螺旋コイルを外挿し、コイルの内側にケーブルを挿入し、ケーブルを一束化することが行われている。前者は高所作業で面倒であり、後者は例えば特公昭５２―４０３３号公報に見られるように、ケーブルの挿入が面倒である。
【０００３】
この改良案として左右交互螺旋を用いる特開２００５−１６８２８４号公報が知られている。しかし、左右交互螺旋のコイルの引き伸ばしや、メッセンジャーワイヤとケーブルを別途架設する作業は、配電柱間の高所作業であることと、落雷や強風により、線路に断線や光ケーブルの場合通信障害を引き起こすなどの問題が懸念される。
【０００４】
一方、メッセンジャーワイヤと光ファイバケーブルとを共通プラスチックシースの首部で連結した自己支持型ケーブルがある。例えば特開平１０−１３３０７１号公報参照がある。このようなケーブルは、側方からの横風を受けた場合、揚力がおき、ケーブルに低周波振動であるダンシングを発生しやすいため、ケーブルコア内に収納される光ファイバや配電ケーブルが劣化しやすいという問題がある。
【０００５】
【特許文献１】特公昭５２−４０３３号公報
【特許文献２】特開２００５−１６８２８４号公報
【特許文献３】特開平１０−１３３０７１号公報
【発明の開示】
【発明が解決しようとする課題】
【０００６】
本発明はこのような問題を生じない配電電柱間に架設する光ケーブルを提供することを目的とするものである。
すなわち、配電電柱は３０ｍ〜５０ｍの間隔で設けられており、ここに架設する光ケーブルはあまり大サイズで重量の大きいものは適用されていない。
従って、従来メッセンジャーワイヤを予め架設し、これに光ケーブルをケーブルハンガーを用いて支持させる従来の方法は、極めて面倒であり、また螺旋コイルを用いる方法もハンガーのように多数のハンガーを取り付ける作業が無く、低コストで済む手段について鋭意検討した。
すなわち、従来メッセンジャーワイヤを予め架設するときの作業上の問題点を解決し、しかも、従来メッセンジャーワイヤとケーブルとは共通のプラスチック被覆でなければ、ならないという既成概念の束縛から解放された、新しい光ケーブル付きメッセンジャーワイヤを生み出し、かつ新しいケーブル支持工法を生み出したものである。
本発明によれば、比較的簡単な構造で、予めメッセンジャーワイヤを架設することや、ハンガーが必要でなく、所望のケーブルにあるメッセンジャーワイヤを電柱の箇所で引き留めればよいので、ケーブルの構造が簡単で、電柱間に架設することも容易で、低コストで安全に架設作業を達成できるものである。
【課題を解決するための手段】
【０００７】
本発明は、メッセンジャーワイヤを構成する高抗張力線と、光ファイバを収納した鋼パイプとが同径であって、少なくとも光ファイバを収納した鋼パイプの１条ないし３条を隣接することなく周囲の撚り構成中に存在させたことを特徴とする配電柱間架設用ケーブルであり（請求項１）、ここには外周の撚り構造中に光ファイバを収納した鋼パイプが１条でもよいし、光ファイバを収納した鋼パイプ２条を用い、高抗張力線の２条を介して１条あて配列した場合や、光ファイバを収納した鋼パイプ３条を用い、請求項２に記載のように中心を鋼線とし、その周囲に高抗張力線と光ファイバを収納した鋼パイプとを交互に撚り合わせてなるものであってもよい。この場合は光りファイバを最も多く収納したケーブルを提供できる。
また、本発明は、光ファイバを収納した鋼パイプとして実績のあるステンレス鋼パイプを用いたことを特徴とする請求項１もしくは２に記載の配電柱間架設用ケーブルであり（請求項３）、
請求項１乃至３いずれかに記載の配電柱間架設用ケーブルを配電電柱間に架設し、該ケーブに於ける高張力線を纏めて引留め金具で引き留めるようにしたことを特徴とする配電柱間架設用ケーブルの引留め方法である（請求項４）。
【発明の効果】
【０００８】
本発明の電柱間架設用ケーブルは、特にメッセンジャーワイヤを別途架設し、螺旋状支持具を用いることなしに、簡単に架設することができ、しかも、光ケーブルを管路内に挿入してあるので、外部の気象条件に影響されず、微振動による通信不良や、塩害に基づく問題を発生せず、
さらに中心部の高抗張力線及び外周より線層中の高抗張力線は、電柱の引留め部で全て集合してメッセンジャーワイヤとして引留めるので、特別なハンガーを必要とせず、ケーブルの架設にあたり必要な機材がすくなくなり、かつ高所での作業が容易となる等の効果
を奏する。
さらに、光ファイバを収納した鋼パイプは高抗張力線と同径で全体的にバランスよく撚り合わされ、全体的撚り線構造であるから、ケーブルはどの方向を上にしてもよい。
【発明を実施するための最良の形態】
【０００９】
図１は、本発明により得られた配電柱間架設用ケーブルの構造例を示す断面図で、中心部及びその周囲に１条おきに高抗張力線１が設けられ，光ファイバを収納した鋼パイプ２と交互に撚り合せて構成されている。
なお、図示していないが、光ファイバを収納した鋼パイプ２は１条でもよいし、２条を高抗張力線１の２条おきに介して配列してもよい。
図では全ての高抗張力線１と、光ファイバを収納した鋼パイプ２の外径は同一であり、その引張り荷重より、公称断面積及び外径が計算されるが、一部に光ファイバを収納した鋼パイプが用いられていても、全体的には抗張力より線すなわち、メッセンジャーワイヤの設計値を近似値として判断して設計することができる。例えば断面積２２ｍｍ２では直径が６．０ｍｍであり、断面積が５５ｍｍ２では直径が９．６ｍｍであり、断面積が１３５ｍｍ２では直径が１５．０ｍｍである。通常外径が６．０ｍｍ〜１５．０ｍｍ程度のものが実用可能である。
【００１０】
光ファイバを収納した鋼パイプ２のパイプの材質は通常実績のあるＳＵＳが強度と、雰囲気による腐食防止の観点から、有利に用いられ、高抗張力線１は、亜鉛メッキ鋼線が廉価であり、使用される。
勿論アルミ被覆鋼線を用いても良い。この場合、塩害にも強いので好ましい。
図１では高抗張力線の一本を中心にして、その周囲に同径の高抗張力線１と金属管収納光ファイバ２とが交互にされて全体として６条が撚り合わされている。
高抗張力線１と光ファイバを収納した鋼パイプ２とが交互に位置して撚り合わされているが、先に述べたように、必要に応じて光ファイバを収納した鋼パイプ２は１条、又は２条でも差し支えない。すなわち、光ファイバを収納した鋼パイプを隣接しないことが強度保持や光ファイバへの影響を考えると好ましい。
なお、光ファイバを収納した鋼パイプ２は一層であるが、中に収納される光ファイバの数を考えると、これで十分であり、２層以上とする必要はない。
【００１１】
また、図示していないが、外周の鋼線と光ファイバを収納した鋼パイプとを、それぞれ偏って集合状態、外周の鋼線３条と光ファイバを収納した鋼パイプ３条とはグループ別にして撚り合わせた場合は、一見電柱に於ける引留めが簡単に思えるが、ケーブル自体の強度が円周方向で一様でないので、好ましくない。要は鋼線と光ファイバを収納した鋼パイプとがバランスよく撚り合わされることが製造上も、製品としても好ましい。
なお、中心の高抗張力線の存在は、周囲の光ファイバのマイクロベンドの防止に効果ががある。
【産業上の利用可能性】
【００１２】
本発明は、配電電柱間に光ファイバを架設するに際して、ケーブル構造中の高抗張力線を利用して引留めので、別途メッセンジャーワイヤの架設や、ハンガあるいはラッシングロッドを必要としないで容易に架線できる。
【図面の簡単な説明】
【００１３】
【図１】本発明の架空ケーブルの一例の断面図である。
【符号の説明】
【００１４】
１  高抗張力線
２  光ファイバを収納した鋼パイプ
【図１】
2008249917.tif 000003
【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
メッセンジャーワイヤを構成する高抗張力線と、光ファイバを収納した鋼パイプとが同
径であって、少なくとも光ファイバを収納した鋼パイプの１条ないし３条を隣接することなく周囲の撚り構成中に存在させたことを特徴とする配電柱間架設用ケーブル。
【請求項２】
中心を高抗張力線とし、その周囲に高抗張力線と光ファイバを収納した鋼パイプとを交互に配列して撚り合わせてなることを特徴とする請求項１に記載の配電柱間架設用ケーブル。
【請求項３】
光ファイバを収納した鋼パイプとしてステンレス鋼パイプを用いたことを特徴とする請求項１もしくは２に記載の電柱間架設用ケーブル。
【請求項４】
請求項１乃至３いずれかに記載の配電柱間架設用ケーブルを配電柱間に架設し、該ケーブルに於ける高張力線を纏めて引留め金具で引き留めるようにしたことを特徴とする電柱間架設用ケーブルの引留め方法。
【手続補正２】
【補正対象書類名】明細書
【補正対象項目名】０００６
【補正方法】変更
【補正の内容】
【０００６】
本発明はこのような問題を生じない配電柱間に架設する光ケーブルを提供することを目的とするものである。
すなわち、配電柱は３０ｍ〜５０ｍの間隔で設けられており、ここに架設する光ケーブルはあまり大サイズで重量の大きいものは適用されていない。
従って、従来メッセンジャーワイヤを予め架設し、これに光ケーブルをケーブルハンガーを用いて支持させる従来の方法は、極めて面倒であり、また螺旋コイルを用いる方法もハンガーのように多数のハンガーを取り付ける作業が無く、低コストで済む手段について鋭意検討した。
すなわち、従来メッセンジャーワイヤを予め架設するときの作業上の問題点を解決し、しかも、従来メッセンジャーワイヤとケーブルとは共通のプラスチック被覆でなければ、ならないという既成概念の束縛から解放された、新しい光ケーブル付きメッセンジャーワイヤを生み出し、かつ新しいケーブル支持工法を生み出したものである。
本発明によれば、比較的簡単な構造で、予めメッセンジャーワイヤを架設することや、ハンガーが必要でなく、所望のケーブルにあるメッセンジャーワイヤを電柱の箇所で引き留めればよいので、ケーブルの構造が簡単で、電柱間に架設することも容易で、低コストで安全に架設作業を達成できるものである。
【手続補正３】
【補正対象書類名】明細書
【補正対象項目名】０００７
【補正方法】変更
【補正の内容】
【０００７】
本発明は、メッセンジャーワイヤを構成する高抗張力線と、光ファイバを収納した鋼パイプとが同径であって、少なくとも光ファイバを収納した鋼パイプの１条ないし３条を隣接することなく周囲の撚り構成中に存在させたことを特徴とする配電柱間架設用ケーブルであり（請求項１）、ここには外周の撚り構造中に光ファイバを収納した鋼パイプが１条でもよいし、光ファイバを収納した鋼パイプ２条を用い、高抗張力線の２条を介して１条あて配列した場合や、光ファイバを収納した鋼パイプ３条を用い、請求項２に記載のように中心を鋼線とし、その周囲に高抗張力線と光ファイバを収納した鋼パイプとを交互に撚り合わせてなるものであってもよい。この場合は光りファイバを最も多く収納したケーブルを提供できる。
また、本発明は、光ファイバを収納した鋼パイプとして実績のあるステンレス鋼パイプを用いたことを特徴とする請求項１もしくは２に記載の配電柱間架設用ケーブルであり（請求項３）、
請求項１乃至３いずれかに記載の配電柱間架設用ケーブルを配電柱間に架設し、該ケーブルに於ける高張力線を纏めて引留め金具で引き留めるようにしたことを特徴とする配電柱間架設用ケーブルの引留め方法である（請求項４）。
【手続補正４】
【補正対象書類名】明細書
【補正対象項目名】００１２
【補正方法】変更
【補正の内容】
【００１２】
本発明は、配電柱間に光ファイバを架設するに際して、ケーブル構造中の高抗張力線を利用して引留めるので、別途メッセンジャーワイヤの架設や、ハンガーあるいはラッシングロッドを必要としないで容易に架線できる。